(57)【特許請求の範囲】
【請求項１】
外蓋材と内蓋材とが積層されてなり、内蓋材がポリプロピレン系フィルム層から形成され、かつこの内蓋材に不連続切れ目線で囲まれた部分開口予定部または部分開口部が設けられ、外蓋材の基材層下面に内蓋材のポリプロピレン系フィルム層と界面剥離可能な溶融押出しによる低密度ポリエチレンフィルム層が設けられているホット飲料容器の蓋用蓋材。
【請求項２】
内蓋材のポリプロピレン系フィルム層の下面に熱封緘性樹脂層が形成されている請求項１記載のホット飲料容器の蓋用蓋材。
【請求項３】
外蓋材の低密度ポリエチレンフィルム層と内蓋材のポリプロピレン系フィルム層とのラミネート強度が５〜１０Ｎ／１５mmである請求項１または２記載のホット飲料容器の蓋用蓋材。
【発明の詳細な説明】
【技術分野】
【０００１】
本発明は、ホットコーヒー等のホット飲料容器の蓋に使用するのに適した蓋材に関する。
【背景技術】
【０００２】
飲料容器としては、下面に熱封緘材層を有する蓋を容体の口部フランジに熱封緘して密封されたものが知られている。そして、容体内の冷たい飲料を飲むさいは、蓋に先の尖ったストローを容体内にとどくように突き刺して飲む。ところが、コーヒー等のホット飲料は、通常、常温で容体に充填して蓋で密封し、販売前にこれをウォーマーに入れて加熱するので、前記のようにストローで飲むと、火傷の危険性がある。そこで、特許文献１に示されているようなオーバーキャップ冶具を使用して容体に密封された蓋の一部を破り部分開口するものがあるが、これはコストが嵩むし、飲んでいる途中でオーバーキャップと容体の隙間から内容物が洩れるおそれがある。また、容体に熱封緘された蓋を手によって直接開封することも考えられるが、この場合ある程度の易剥離性が必要であり、そのため加熱に伴う密封容体の内圧上昇により蓋の一部が剥がれて漏れの発生するおそれがある。この問題を解決するものとして、例えば、特許文献２や特許文献３に示されているように、蓋を外蓋と内蓋とから構成し、両者を接着剤を介して剥離可能に積層し、外蓋を内蓋から引剥がすことにより、内蓋に形成された部分開口部を現すものが提案されている。この蓋は、開封に際して特別な冶具を要せず、優れた密封性と容易な開封性を備えている。しかしながら、外蓋と内蓋とを界面剥離可能にするための接着強度のコントロールが難しく、強接着部と弱接着部を所定のパターン状に組み合わせるというような複雑な接着剤の塗布工程が必要である。そのため、接着強度がばらつくと、すなわち、接着強度が強すぎる場合には、外蓋が手で簡単に剥離できなかったり、逆に接着強度が弱すぎる場合には、外蓋が不用意に剥離してしまうという問題があった。
【発明の概要】
【発明が解決しようとする課題】
【０００３】
本発明は、外蓋と内蓋とを積層してなる蓋において、接着剤による接着強度をコントロールするなどの複雑な操作を要することなく、外蓋と内蓋とが界面剥離可能に積層された蓋を得ることができるホット飲料容器の蓋用蓋材を提供しょうとするものである。
【課題を解決するための手段】
【０００４】
請求項１の発明によるホット飲料容器の蓋用蓋材は、外蓋材と内蓋材とが積層されてなり、内蓋材がポリプロピレン系フィルム層から形成され、かつこの内蓋材に不連続切れ目線で囲まれた部分開口予定部または部分開口部が設けられ、外蓋材の基材層下面に内蓋材のポリプロピレン系フィルム層と界面剥離可能な溶融押出しによる低密度ポリエチレンフイルム層が設けられているものである。
【０００５】
上記外蓋材の基材層に用いられる基材の具体例としては、ポリエチレンテレフタレートフィルム（ＰＥＴフィルム）、ポリエチレンナフタレートフィルム（ＰＥＮフィルム）、ポリブチレンテレフタレートフィルム（ＰＢＴフィルム）等の合成樹脂フィルム、アルミニウム箔、紙等を挙げることができる。一般的には、バリアー性を有するアルミニウム箔の表面に合成樹脂フィルムを貼り合わせるか、合成樹脂をコーティングしたものが使用される。しかしながら、用途において特にバリアー性を必要としない場合は、アルミニウム箔を用いなくてもよい。合成樹脂フィルムの場合は９〜３０μｍで、通常１０〜１５μｍのものが用いられている。アルミニウム箔は７〜６０μｍで、通常１０〜３０μｍのものが用いられている。
【０００６】
上記外蓋材の基材層下面の溶融押出しによるポリエチレン系フイルム層用ポリエチレン系樹脂の具体例としては、高密度ポリエチレン、中密度ポリエチレン、低密度ポリエチレン等を挙げることができる。そのうち特に低密度ポリエチレンが界面剥離性に優れており、その厚さは１０〜６０μｍで、特に２０〜４０μｍが好ましい。
【０００７】
上記内蓋材を形成するポリプロピレン系フィルム層は、内蓋の強度を高め、外蓋材の基材層下面の溶融押出し低密度ポリエチレンフイルム層との間で界面剥離を可能とする外、容体がポレプロピレン製樹脂の場合には、ヒートシール層の役割をも果たす。ポリプロピレン系フィルム層の厚さは、３０〜１００μｍであり、特に５０〜７０μｍが好ましい。
なお、ポリプロピレン系樹脂とは、プロピレン単独のみならず、プロピレンとα−オレフィンとの共重合体樹脂をも含むものとする。
【０００８】
上記不連続切れ目線で囲まれた部分開口予定部または部分開口部の形状は、円形その他任意である。
【０００９】
請求項２の発明は、請求項１記載のホット飲料容器の蓋用蓋材において、内蓋材のポリプロピレン系フィルム層の下面に熱封緘性樹脂層が形成されているものである。
【００１０】
容体の材料がポリプロピレン樹脂ではなく、例えば、ポリエチレン等の他の合成樹脂、ガラス、金属の場合には、容体の口縁フランジに内蓋のポリプロピレン系フィルム層が熱封緘できないので、ポリプロピレン系フィルム層の下面にヒートシール性樹脂層を形成しておく必要がある。ヒートシール性樹脂の具体例としては、ポリエチレン、アイオノマー、エチレン酢酸ビニル共重合体、エチレンアクリル酸共重合体を挙げることができる。
この場合、外蓋材のポリエチレン系フィルム層と内蓋材のポリプロピレン系フィルム層との接着強度よりも容体とヒートシール性樹脂層との接着強度の方を高くする必要があるので、使用するヒートシール性樹脂の種類やシール条件等を適宜選択する必要がある。
【００１１】
請求項３の発明は、請求項１または２記載のホット飲料容器の蓋用蓋材において、外蓋材のポリエチレン系フィルム層と内蓋材の低密度ポリエチレンフィルム層とのラミネート強度が５〜１０Ｎ／１５mmであるものである。
【００１２】
上記のように両者のラミネート強度を５〜１０Ｎ／１５ｍｍに限定したのは、つぎの理由による。すなわち、ホット飲料用以外の容器の場合は、両者のラミネート強度は０．０５〜１０Ｎ／１５ｍｍでよいが、ホット飲料用容器の場合は、加熱に伴って密封容体の内圧が上昇するため、５Ｎ／１５ｍｍ未満であると、ラミネート強度が不足し、外蓋が輸送中等に不意に剥離するおそれがあり、１０Ｎ／１５ｍｍを超えると、ラミネート強度が強すぎて内蓋から外蓋を剥離するのに困難が生じるからである。
【００１３】
なお、ラミネート強度はつぎの測定方法によった。
試料：長さ２００ｍｍ×幅１５ｍｍ
試験方法：Ｔ型剥離試験（試料を１００ｍｍ／分の速度でＴ字角度で剥離）
【００１４】
【発明の効果】
【００１５】
請求項１の発明によるホット飲料容器の蓋用蓋材は、外蓋材と内蓋材とが積層されてなり、内蓋材がポリプロピレン系フィルム層から形成され、かつこの内蓋材に不連続切れ目線で囲まれた部分開口予定部または部分開口部が設けられ、外蓋材の基材層下面に内蓋材のポリプロピレン系フィルム層と界面剥離可能な溶融押出しによる低密度ポリエチレンフイルム層が設けられているから、この蓋材から得られた蓋はポリプロピレン製容体の口縁フランジに熱封緘することができ、容体内のホット飲料を飲むさいは、外蓋を容体に直接熱封緘せられている内蓋から簡単に引剥がすことができる。そして、内蓋に不連続切れ目線で囲まれた部分開口予定部のある場合は、外蓋の引剥がしにともなって不連続切れ目線のところで全体が切れ、これで囲まれた部分が外蓋と一体となって内蓋から引剥がされて部分開口部が得られる。内蓋に部分開口部のある場合は、外蓋の引剥がしにともなって容体側に残った内蓋に部分開口部が現れる。この部分開口部が飲み口となる。
【図面の簡単な説明】
【００１６】
【図１】蓋材の部分横断面図である。
【図２】蓋を施した容体から外蓋を内蓋より剥離する途上を示す斜視図である。
【図３】蓋を施した容体から外蓋を内蓋より剥離する途上を示す要部拡大縦断面図である。
【発明を実施するための形態】
【００１７】
図１は、蓋材（A）を示す。この蓋材（A）は、外蓋材（１）と内蓋材（２）とが積層されてなる。内蓋材（２）は未延伸ポリプロピレンフィルム層から形成され、かつこの内蓋材（２）に不連続切れ目線（３）で円形に囲まれた部分開口予定部（４）が設けられている。外蓋材（１）の基材層（５）下面には、内蓋材（２）の未延伸ポリプロピレンフィルム層と界面剥離可能な溶融押出しによる低密度ポリエチレンフイルム層（６）が設けられている。
【００１８】
この部分開口予定部（４）は、円形の部分開口部でもよい。基材層（５）は、アルミニウム箔（７）の上にPETフイルム（８）が接合せられたものである。
【００１９】
図２および図３は、蓋材（A）からプレスで打ち抜かれたタブ（９）付き蓋（B）と口縁にフランジ（１０）を有するポリプロピレン製容体（C）を示す。蓋（B）は外蓋(１１）と内蓋（１２）とが積層されてなるものである。そして、内蓋（１２）は、未延伸ポリプロピレンフィルム層から形成され、かつこの内蓋（１２）には、不連続切れ目線（３）で円形に囲まれた部分開口予定部（４）が存在する。外蓋（１１）の基材層（１３）下面には、内蓋（１２）の未延伸ポリプロピレンフィルム層と界面剥離可能な溶融押出しによる低密度ポリエチレンフイルム層（１４）が設けられている。基材層（１３）は、アルミニウム箔（１５）の上にPETフイルム（１６）が接合せられたものである。そして、タブ（９）の基端下面には、内蓋（1２）の外周円弧に合致する弧状の切れ目線（１７）が設けられている。
【００２０】
同図は、部分開口用蓋（B）が容体（C）のフランジ（１０）に熱封緘され、その後部分開口用蓋（B）の外蓋(１１)がタブ（９）を持って引き上げることにより、容体（C）の口に内蓋（1２）が残るように剥離されるとともに、部分開口予定部（４）は不連続切れ目線（３）の接続部分が全て切れて外蓋(１１)下面に円形下向き凸部（１８）を形成し、容体（C）の口に残った内蓋（1２）に部分開口部（１９）があけられた状態を示すもので、同図では、外蓋(１１)が内蓋（1２）より剥離される途上の状態が示されているが、当然外蓋(１１)は内蓋（1２）よりすべて剥離される。この部分開口部（１９）がホットコーヒー等のホット飲料飲み口となる。
【符号の説明】
【００２１】
(A)  蓋材
(１)  外蓋材
(２)  内蓋材
(３)  不連続切れ目線
(４)  部分開口予定部
(５)  外蓋材の基材層
(６)  溶融押出しによる低密度ポリエチレンフイルム層
【先行技術文献】
【特許文献】
【００２２】
【特許文献１】特開２００５−２２７５７号公報
【特許文献２】特開平５−２７０５４５号公報
【特許文献３】特開平９−１５６６６３号公報
【図１】
0005542508.tif 000002
【図２】
0005542508.tif 000003
【図３】
0005542508.tif 000004